(57)【特許請求の範囲】
【請求項１】
多数の孔を有する孔面が設けられる第１のスクリーンと、
多数の孔を有し且つ第１のスクリーンの孔面と接する孔面が設けられる第２のスクリーンと、
該第２のスクリーンの孔面の孔が第１のスクリーンの孔面の孔に対向することにより、第１のスクリーンの孔面の孔と第２のスクリーンの孔面の孔とが重なり合って形成される流体の流路の大きさを、濾過時よりも洗浄時の方が大きくなるように、第１のスクリーン及び第２のスクリーンのいずれか一方又は両方を動作させる動作部とを備え、
第１のスクリーンは、円筒形状の孔面を有し、
第２のスクリーンは、第１のスクリーンの内径より一回り大きい内径の円筒形状の孔面を有し且つ内側に第１のスクリーンを挿入し、
動作部は、第１のスクリーン又は第２のスクリーンのいずれか一方又は両方を筒芯中心に回動させて流体の流路の大きさを変更し、
第１のスクリーン及び第２のスクリーンを収納し且つ第２のスクリーンの孔面の外側との間に流体を通過させる通水路を有する筺体を備え、
該筺体は、第１のスクリーンに流体を流入させる流入口と、第１のスクリーンの孔面及び第２のスクリーンの孔面を通過した流体を流出させる流出口と、第１のスクリーンにより捕集される異物を排出する排出口とを備え、
第１のスクリーンの内側には、孔面を複数に区画する区画を有し、該区画は、複数の区画によって区画される複数のエリアの一部が流入口に連絡しているときに残りの複数のエリアの少なくとも一部が排出口と連絡するように第１のスクリーンの内側を区画し、
動作部は、洗浄時に、流入口から第１のスクリーンの一部のエリアに流体を流入させ、該エリアに対応する孔面と接する第２のスクリーンの孔面を通過した流体を、第１のスクリーンの残りのエリアに対応する孔面と接する第２のスクリーンの孔面を通過させて排出口から異物とともに排出するストレーナ。
【請求項２】
動作部は、第１のスクリーン又は第２のスクリーンのいずれか一方又は両方を回動させて、排出口に連絡する第１のスクリーンのエリアを切り換える請求項１に記載のストレーナ。
【発明の詳細な説明】
【技術分野】
【０００１】
本発明は、流体中に混入される異物を捕集するためのストレーナに関する。
【背景技術】
【０００２】
従来から、水力発電所の給水設備などの管路にはストレーナが設けられている。このストレーナは、この管路を通過する流体に混入されている異物を捕集して取り除くために設けられる。このストレーナは、スクリーン（フィルタ部材）と、該スクリーンを収納する筺体（ケース）とを備える（特許文献１参照）。異物がスクリーンに捕集された状態でストレーナを使用し続けると、異物によりスクリーンの目が塞がれて、管路を通過する流体の通水量が低下する。この通水量の低下を抑制するために、ストレーナを流れる流体の方向を逆転させることにより、スクリーンに捕集された異物をストレーナから取り除く（逆）洗浄と呼ばれる作業がある。
【０００３】
一般的に、スクリーンの目が細かくなるほど異物の捕集効率が高くなるが、スクリーンに流す流体の流れの妨げとなるとともに、洗浄時においてスクリーンの孔を塞ぐ異物を取り除く洗浄効率が低下する。しかし、この洗浄効率を上げるために、スクリーンの目を粗くしては、異物の捕集効率が低下する。
【先行技術文献】
【特許文献】
【０００４】
【特許文献１】特開２０１０−１４９０２２号公報
【発明の概要】
【発明が解決しようとする課題】
【０００５】
よって、本発明は、かかる事情に鑑み、異物の捕集効率を低下させることなく、洗浄時に効率的に異物を取り除くことができるストレーナを提供することを課題とする。
【課題を解決するための手段】
【０００６】
本発明に係るストレーナは、多数の孔を有する孔面が設けられる第１のスクリーンと、多数の孔を有し且つ第１のスクリーンの孔面と接する孔面が設けられる第２のスクリーンと、該第２のスクリーンの孔面の孔が第１のスクリーンの孔面の孔に対向することにより、第１のスクリーンの孔面の孔と第２のスクリーンの孔面の孔とが重なり合って形成される流体の流路の大きさを、濾過時よりも洗浄時の方が大きくなるように、第１のスクリーン及び第２のスクリーンのいずれか一方又は両方を動作させる動作部とを備え、第１のスクリーンは、円筒形状の孔面を有し、第２のスクリーンは、第１のスクリーンの内径より一回り大きい内径の円筒形状の孔面を有し且つ内側に第１のスクリーンを挿入し、動作部は、第１のスクリーン又は第２のスクリーンのいずれか一方又は両方を筒芯中心に回動させて流体の流路の大きさを変更し、第１のスクリーン及び第２のスクリーンを収納し且つ第２のスクリーンの孔面の外側との間に流体を通過させる通水路を有する筺体を備え、該筺体は、第１のスクリーンに流体を流入させる流入口と、第１のスクリーンの孔面及び第２のスクリーンの孔面を通過した流体を流出させる流出口と、第１のスクリーンにより捕集される異物を排出する排出口とを備え、第１のスクリーンの内側には、孔面を複数に区画する区画を有し、該区画は、複数の区画によって区画される複数のエリアの一部が流入口に連絡しているときに残りの複数のエリアの少なくとも一部が排出口と連絡するように第１のスクリーンの内側を区画し、動作部は、洗浄時に、流入口から第１のスクリーンの一部のエリアに流体を流入させ、該エリアに対応する孔面と接する第２のスクリーンの孔面を通過した流体を、第１のスクリーンの残りのエリアに対応する孔面と接する第２のスクリーンの孔面を通過させて排出口から異物とともに排出することを特徴とする。
【０００７】
かかる構成によれば、濾過時は、第１のスクリーンの孔面の孔と第２のスクリーンの孔面の孔との重なり合い具合が小さくなるように、動作部が第１のスクリーン及び第２のスクリーンを動作させる。つまり、動作部は、第１のスクリーンの孔面と第２のスクリーンの孔面とを重なり合わせて形成される流路の大きさを小さくする。よって、第１のスクリーン及び第２のスクリーンを通過できる異物の大きさが小さくなり、異物の捕集効率が高まる。
【０００８】
一方、洗浄時は、第１のスクリーンの孔面の孔と第２のスクリーンの孔面の孔との重なり合い具合が大きくなるように、動作部が第１のスクリーン及び第２のスクリーンを動作させる。つまり、動作部は、第１のスクリーンの孔面と第２のスクリーンの孔面とを重なり合わせて形成される流路の大きさを大きくする。よって、第１のスクリーン及び第２のスクリーンを通過できる異物の大きさが大きくなり、第１のスクリーン及び第２のスクリーンに捕集された異物が第１のスクリーン及び第２のスクリーンから流体により取り除かれやすくなる。
【００１０】
かかる構成によれば、動作部は、第１のスクリーン又は第２のスクリーンのいずれか一方又は両方を筒芯中心に回動させることにより、第１のスクリーンの孔面と第２のスクリーンの孔面とを重なり合わせて形成される流路の大きさが変更される。
【００１２】
かかる構成によれば、濾過時は、流体は、流入口から該流入口と連絡している第１のスクリーンの複数のエリアの一部に流入し、該区画によって区画された第１のスクリーンの孔面と該第１のスクリーンの孔面に対向する第２のスクリーンの孔面とを通過し、第２のスクリーンの孔面の外側の通水路を介して流出口から流出される。
【００１３】
また、洗浄時は、流体は、流入口から該流入口と連絡している第１のスクリーンの複数のエリアの一部に流入し、該区画によって区画された第１のスクリーンの孔面と該第１のスクリーンの孔面に対向する第２のスクリーンの孔面とを通過し、第２のスクリーンの孔面の外側の通水路に流入される。そして、流体は、第１のスクリーンの残りの孔面と該第１のスクリーンの残りの孔面に対向する第２のスクリーンの残りの孔面とを通過し、排出口から排出される。このとき、流体は、濾過時に第１のスクリーンの孔面から第２のスクリーンの孔面に通過した流れと逆方向の第２のスクリーンの孔面から第１のスクリーンの孔面に流れる。そのため、第１のスクリーンの孔面に捕集された異物は、第２のスクリーンの孔面から第１のスクリーンの孔面に流れる流体の逆方向の流れによって第１のスクリーンの孔面から取り除かれて、排出口から流体とともに排出される。
【００１４】
また、本発明に係るストレーナの他態様として、動作部は、第１のスクリーン又は第２のスクリーンのいずれか一方又は両方を回動させて、排出口に連絡する第１のスクリーンのエリアを切り換えることが好ましい。
【００１５】
かかる構成によれば、第１のスクリーン又は第２のスクリーンのいずれか一方又は両方が回動して、排出口に連絡する第１のスクリーンのエリアを切り換えることにより、第１のスクリーンの孔面と第２のスクリーンの孔面とを流れる流体の向きが変わり、第１のスクリーンが複数に区画されたエリアの孔面ごとに切り換えて異物を取り除くことができる。
【発明の効果】
【００１６】
以上の如く、異物の捕集効率を低下させることなく、洗浄時に効率的に異物を取り除くことができるという優れた効果を奏する。
【図面の簡単な説明】
【００１７】
【図１】図１は、本発明の一実施形態に係るストレーナの外観図である。
【図２】図２は、同実施形態に係るストレーナの断面図である。
【図３】図３は、同実施形態に係るストレーナの図２のＡ−Ａ線断面図である。
【図４】図４は、同実施形態に係るストレーナの孔面を示す図である。
【図５】図５は、同実施形態に係るストレーナの図２のＢ−Ｂ線断面図である。
【図６】図６は、同実施形態に係るストレーナの濾過室の下面図である。
【図７】図７は、同実施形態に係るストレーナの系統図である。
【図８】図８は、同実施形態に係るストレーナの濾過時の流路を示す図である。
【図９】図９は、同実施形態に係るストレーナの洗浄時の流路を示す図である。
【発明を実施するための形態】
【００１８】
本発明の一実施形態に係るストレーナについて、図１〜図６を参照しつつ説明する。ストレーナ１は、図１及び図２に示すように、流体に含まれる異物を取り除くスクリーン２と、該スクリーン２を収納する筺体５と、スクリーン２を動作させる動作部６とを備える。
【００１９】
スクリーン２は、図２及び図３に示すように、多数の孔を有する孔面が設けられる第１のスクリーン３と、多数の孔を有し且つ第１のスクリーン３の孔面と接する孔面が設けられる第２のスクリーン４とを備える。スクリーン２は、第１のスクリーン３を第２のスクリーン４の内側に挿入して、二重構造となる。
【００２０】
第１のスクリーン３は、円筒形状の孔面を有するスクリーン本体３１と、該スクリーン本体３１の筒芯方向の一方の開放端を塞ぐ蓋板３２と、スクリーン本体３１を筒芯中心に回動させる軸部３３と、スクリーン本体３１の内側を複数に区画する区画３４と、スクリーン本体３１の筒芯方向の両端縁を補強する補強板３５（図４参照）とを有する。
【００２１】
スクリーン本体３１は、孔の大きさが異物を捕集可能な大きさの金網である。スクリーン本体３１の孔面は、正方形状又は長方形状、菱形形状などの格子状の孔を一様に有する。また、スクリーン本体３１は、金属製であり、異物を捕集する機能以外に、異物を裁断又は粉砕するなどして異物の大きさを孔の大きさ以下に小さくする機能も備える。そのために、スクリーン本体３１の孔面の孔は、鋭利な刃先を有していてもよい。
【００２２】
蓋板３２は、スクリーン本体３１の他方の開放端から内側に流入した流体を一方の開放端から流出させないように塞ぐ。つまり、蓋板３２は、スクリーン本体３１に流入した流体を孔面に誘導するために設けられる。
【００２３】
軸部３３は、スクリーン本体３１の中心軸上に配置され且つ蓋板３２から突出するように、スクリーン本体３１に固定される。
【００２４】
区画３４は、略円筒形状のスクリーン本体３１の内側を周方向に分割して扇形状に区画する。区画３４には、スクリーン本体３１のような孔面を備えておらず、区画３４が区画して形成するスクリーン本体３１の複数のエリア（後述する貯留分割エリアＳ１１〜Ｓ１６；図３参照）間は、連通していない。
【００２５】
補強板３５は、環状の鋼板であり、スクリーン本体３１の両端縁に固定される。
【００２６】
第２のスクリーン４は、第１のスクリーン３の内径より一回り大きい内径の円筒形状の孔面を有するスクリーン本体４１と、該スクリーン本体４１の筒芯方向の両端縁を補強する補強板４２（図４参照）とを有する。スクリーン本体４１は、孔の大きさが異物を捕集可能な大きさの金網である。第２のスクリーン４のスクリーン本体４１の孔面の孔は、図４の示すような第１のスクリーン３のスクリーン本体３１の孔面の孔と同じ大きさ及び形状を有する。補強板４２は、環状の鋼板であり、スクリーン本体４１の両端縁に固定される。
【００２７】
第２のスクリーン４は、孔面の内周側の面が第１のスクリーン３の孔面の外周側の面と接触若しくは略接触するように、第１のスクリーン３をその内側に挿入する。更に、第２のスクリーン４は、軸芯中心に回動可能に第１のスクリーン３を収納する。そのため、第２のスクリーン４の内側で第１のスクリーン３の軸部３３を回動させると、第２のスクリーン４の孔面が第１のスクリーン３の孔面と摺接する。また、第２のスクリーン４の孔面の孔が第１のスクリーン３の孔面の孔に対向することにより、第１のスクリーン３の孔面の孔と第２のスクリーン４の孔面の孔とが重なり合って形成される流体の流路Ｆ（図４参照）が形成される。
【００２８】
筺体５は、図２に示すように、スクリーン２が収納されて流体を濾過する濾過室５１と、流体が流入する流入室５２と、異物を排出する排出室５３とを備える。具体的には、筺体５は、有底円筒形状の筺体５の内側を筒芯方向に仕切っており、筺体５には２つの室が設けられている。筺体５は、筒芯方向の一方の面を底面として設置して使用され、筺体５の上部に位置する上部室は、濾過室５１となり、下部に位置する下部室は、流入室５２及び排出室５３となる。図５に示すように、下部室も周方向に仕切っており、下部室にも２つの室が設けられている。下部室に設けられた２つの室は、扇状の室であり、中心角の大きい扇形の室が流入室５２となり、中心角の小さい扇形の室が排出室５３となる。
【００２９】
濾過室５１は、図２及び図３に示すように、該濾過室５１内に流入した流体を通過させるスペース５１１と、濾過室５１内に流体を流入させる流入口５１２と、濾過室５１から外部に流体を流出させる流出口５１３と、濾過室５１から排出室５３に流体を排出させる排出口５１４とを備える。なお、流入口５１２は、濾過室５１と流入室５２との間を連通する連通孔として機能する。また、排出口５１４は、濾過室５１と排出室５３との間を連通する連通孔として機能する。
【００３０】
スペース５１１は、第１のスクリーン３及び第２のスクリーン４を収納する収納スペースでもある。第１のスクリーン３及び第２のスクリーン４がスペース５１１の内部に収納されることにより、スペース５１１の内部には、第１のスクリーン３のスクリーン本体３１の孔面の内側と、第２のスクリーン４のスクリーン本体４１の孔面の外側とに仕切られる。第１のスクリーン３の孔面の内側は、異物が捕集される異物捕集エリアＳ１となり、第２のスクリーン４の孔面の外側は、スクリーン２を通過した流体を他の孔面又は排出口５１４に導く導水エリアＳ２（本発明の「導水路」に相当する）となる。異物捕集エリアＳ１は、第１のスクリーン３の区画３４によって複数の捕集分割エリアＳ１１〜Ｓ１６（本発明の「エリア」に相当する）を備える。
【００３１】
流入口５１２は、図２に示すように、流入室５２からスペース５１１に流体を導水する開口であって、スペース５１１に収納される第１のスクリーン３の内側（捕集エリアＳ１）に流体を流入する開口である。流入口５１２は、濾過室５１内に配置される第１のスクリーン３の内側に面する、筺体５の仕切りを貫通する開口である。流入口５１２は、図６に示すように、扇形状の開口である。
【００３２】
流出口５１３は、濾過室５１から外部に流体を導水する開口であって、スペース５１１に収納される第２のスクリーン４の外側（導水エリアＳ２）から流体を流出する開口である。流出口５１３は、筺体５の周面であって、濾過室５１に面する周面を貫通する開口である。
【００３３】
排出口５１４は、スペース５１１から排出室５３に流体を導水する開口であって、スペース５１１に収納される第１のスクリーン３の内側（捕集エリアＳ１）から排出室５３に流体を排出する開口である。排出口５１４は、濾過室５１内に配置される第１のスクリーン３の内側に面し且つ濾過室５１と排出室５３とが面する筺体５の仕切りを貫通する開口である。排出口５１４は、図６に示すように、略円形状の開口である。
【００３４】
流入口５１２と排出口５１４とは、第１のスクリーン３の複数の捕集分割エリアＳ１１〜Ｓ１６の一部が流入口５１２に連絡しているときに残りの区画３４の少なくとも一部が排出口５１４と連絡するような位置関係になっている。つまり、流入口５１２は、第１のスクリーン３のスクリーン本体３１の内側で直接接続されておらず、第１のスクリーン３内の捕集分割エリアＳ１１〜Ｓ１６に対応する第１のスクリーン３及び第２のスクリーン４の孔面を介して導水エリアＳ２に接続されており、第１のスクリーン３内の残りの捕集分割エリアＳ１１〜Ｓ１６に対応する第１のスクリーン３及び第２のスクリーン４の孔面を介して他の捕集分割エリアＳ１１〜Ｓ１６に接続されて、排出口５１４に接続される。
【００３５】
流入室５２は、図２及び図５に示す、流入室５２内に流入した流体を通過させるスペース５２１と、該流入室５２内に流体を流入させる第１の流入口５２２と、図２及び図６に示す、流入室５２から濾過室５１に流体を流入させる第２の流入口５２３とを備える。スペース５２１は、第１の流入口５２２から流入した流体の流れを第２の流入口５２３に対して略均一にする。第１の流入口５２２及び第２の流入口５２３は、本発明の流入口である。第１の流入口５２２は、筺体５の周面であって、流入室５２に面する周面を貫通している。第２の流入口５２３は、濾過室５１と流入室５２とに面する筺体５の仕切りを貫通している。
【００３６】
排出室５３は、図２及び図５に示す、濾過室５１から排出室５３内に排出された流体を通過させるスペース５３１と、該排出室５３から流体を排出させる第１の排出口５３２と、濾過室５１から流体を排出させる第２の排出口５３３とを備える。第１の排出口５３２及び第２の排出口５３３は、本発明の排出口である。
【００３７】
動作部６は、図２に示すように、第１のスクリーン３を回動させる駆動部６１と、該駆動部６１を制御する制御部６２とを備える。
【００３８】
駆動部６１は、電動機と、該電動機の軸に第１のスクリーン３の軸部３３を接続するカップリング並びに減速機を備える。駆動部６１は、制御部６２からの指令により、第２のスクリーン４に対する第１のスクリーン３の位置を所定の位置関係となるように回動させて位置決めする。駆動部６１は、第１のスクリーン３を筒芯中心に回動させる。
【００３９】
制御部６２は、濾過時と洗浄時とでストレーナ１の状態を切り換えて運転すべく駆動部６１を制御する制御回路と、該制御回路と駆動部６１との信号のやり取りを行う入出力インターフェースとを備える。制御部６２は、第２のスクリーン４の孔面の孔が第１のスクリーン３の孔面の孔に対向することにより、第１のスクリーン３の孔面の孔と第２のスクリーン４の孔面の孔とが重なり合って形成される流体の流路Ｆの大きさを、濾過時よりも洗浄時の方が大きくなるように、第１のスクリーン３の位置を制御する。また、制御部６２は、第１のスクリーン３の軸部３３を回動させて、濾過室５１の排出口５１４に連絡する第１のスクリーン３の異物分割エリアＳ１１〜Ｓ１６が切り換わるように、第１のスクリーン３の位置を制御する。
【００４０】
次に、本発明の一実施形態に係るストレーナの動作方法について、図２〜図９を参照しつつ説明する。本実施形態に係るストレーナ１は、通過する流体に含まれる異物を捕集して濾過する濾過時と、捕集された異物をスクリーン２から取り除き、スクリーン２を洗浄する洗浄時とで運転状態が異なる。そのため、以下、ストレーナ１の濾過時と洗浄時とに分けて説明する。
【００４１】
ストレーナ１には、図７に示すように、流出口５１３の出口側に開閉弁７１が設けられ、排出室５３の第１の排出口５３２の出口側に異物排出弁７２が設けられている。濾過時には、開閉弁７１が開かれ、異物排出弁７２が閉じられる。つまり、流入室５２に流入した流体は、ろ過室５１のスクリーン２を通過して、流出口５１３から流出し、排出室５３の第１の排出口５３２から排出されない。洗浄時には、開閉弁７１が閉じられ、異物排出弁７２が開かれる。つまり、流入室５２に流入した流体は、ろ過室５１のスクリーン２の一部の捕集分割エリアＳ１１〜Ｓ１６に流入して導水エリアＳ２に達し、スクリーン２の他の孔面から他の捕集分割エリアＳ１１〜Ｓ１６に流入（逆流）して、排出室５３の第１の排出口５３２から排出され、流出口５１３から流出されない。
【００４２】
濾過時について、制御部６２は、駆動部６１を制御して、第１のスクリーン３の軸部３３を回動させ、図８に示すように、第１のスクリーン３のスクリーン本体３１の孔面の孔と第２のスクリーン４のスクリーン本体４１の孔面の孔とをずらして、重なり合わないような位置まで回動させた位置で第１のスクリーン３を停止させる。一例として、図３に示すような、濾過室５１の排出口５１４が捕集分割エリアＳ１１（以下、「第１の捕集分割エリア」と呼ぶ）に連絡し、流入口５１２が他の捕集分割エリアＳ１２〜Ｓ１６（以下、「第２〜第６の捕集分割エリア」と呼ぶ）に連絡するような位置関係にする。
【００４３】
流体を第１の流入口５２２から流入室５２に流入させると、流体が第２の流入口５２３を介して濾過室５１の捕集エリアＳ１の第２〜第６の捕集分割エリアＳ１２〜Ｓ１６に流入する。そして、流体は、第１のスクリーン３１の各第２〜第６の捕集分割エリアＳ１２〜Ｓ１６の孔面から第２のスクリーン４１の孔面を通過して導水エリアＳ２に流入する。ここで、スクリーン２の流路Ｆを通過できない異物は、第１のスクリーン３のスクリーン本体３１の孔面の内側に捕集され、第２〜第６の捕集分割エリアＳ１２〜Ｓ１６に残される。そして、ストレーナ２によって異物が取り除かれて濾過された流体は、導水エリアＳ２内を流出口５１３まで導水されて、流出口５１３から流出される。
【００４４】
洗浄時について、制御部６２は、駆動部６１を制御して、第１のスクリーン３の軸部３３を回動させ、図９に示すように、第１のスクリーン３のスクリーン本体３１の孔面の孔と第２のスクリーン４のスクリーン本体４１の孔面の孔とが一致する位置まで回動させた位置で第１のスクリーン３を停止させる。一例として、図３に示すような、濾過室５１の排出口５１４が第１の捕集分割エリアＳ１１に連絡し、流入口５１２が他の第２〜第６の捕集分割エリアＳ１２〜Ｓ１６に連絡するような位置関係にする。
【００４５】
流体を第１の流入口５２２から流入室５２に流入させると、流体が第２の流入口５２３を介して濾過室５１の捕集エリアＳ１の第２〜第６の捕集分割エリアＳ１２〜Ｓ１６に流入する。そして、流体は、第１のスクリーン３の第２〜第６の捕集分割エリアＳ１２〜Ｓ１６の孔面から第２のスクリーン４１の孔面を通過して導水エリアＳ２に流入する。スクリーン２を通過した流体は、導水エリアＳ２内を捕集エリアＳ１の第１の捕集分割エリアＳ１１に面する第２のスクリーン４のスクリーン本体４１の孔面と第１のスクリーン３のスクリーン本体３１とを通過して、捕集エリアＳ１の第１の捕集分割エリアＳ１１に流入する。その際に、第１のスクリーン３のスクリーン本体３１の孔面の内側に捕集されている異物は、第１のスクリーン３のスクリーン本体３１の孔面から取り除かれる。この第１の捕集分割エリアＳ１１は、濾過室５１の排出口５１４と連絡している。そのため、流体と異物は、第１の捕集分割エリアＳ１１の排出口５１４から排出室５３を経由して、第１の排出口５３２から排出される。
【００４６】
このように、動作部６は、第１のスクリーン３を筒芯中心に回動させることにより、第１のスクリーン３のスクリーン本体３１の孔面と第２のスクリーン４のスクリーン本体４１の孔面とを重なり合わせて形成される流路Ｆの大きさが変更される。
【００４７】
濾過時は、流体は、流入口５１２から該流入口５１２と連絡している第１のスクリーン３の複数の捕集分割エリアＳ１１〜Ｓ１６の一部に流入し、区画３４によって区画された第１のスクリーン３のスクリーン本体３１の孔面と該第１のスクリーン３のスクリーン本体３１の孔面に対向する第２のスクリーン４のスクリーン本体４１の孔面とを通過し、第２のスクリーン４のスクリーン本体４１の孔面の外側の導水エリアＳ２（通水路）を介して流出口５１３から流出される。
【００４８】
このときは、第１のスクリーン３のスクリーン本体３１の孔面の孔と第２のスクリーン４のスクリーン本体４１の孔面の孔との重なり合い具合が小さくなるように、動作部６が第１のスクリーン３を動作させた状態にある。つまり、動作部６は、第１のスクリーン３のスクリーン本体３１の孔面と第２のスクリーン４のスクリーン本体４１の孔面とを重なり合わせて形成される流路Ｆの大きさを小さくしている。よって、第１のスクリーン３及び第２のスクリーン４を通過できる異物の大きさが小さくなり、異物の捕集効率が高まる。
【００４９】
一方、洗浄時は、流体は、流入口５１２から該流入口５１２と連絡している第１のスクリーン３の複数の捕集分割エリアＳ１１〜Ｓ１６の一部に流入し、該区画３４によって区画された第１のスクリーン３のスクリーン本体３１の孔面と該第１のスクリーン３のスクリーン本体３１の孔面に対向する第２のスクリーン４のスクリーン本体４１の孔面とを通過し、第２のスクリーン４のスクリーン本体４１の孔面の外側の導水エリアＳ２（通水路）に流入される。そして、流体は、第１のスクリーン３のスクリーン本体３１の残りの孔面と該第１のスクリーン３のスクリーン本体３１の残りの孔面に対向する第２のスクリーン４のスクリーン本体４１の残りの孔面とを通過し、濾過室５１の排出口５１４を介して、排出室５３の第１の排出口５３２から排出される。このとき、流体は、濾過時に第１のスクリーン３のスクリーン本体３１の孔面から第２のスクリーン４のスクリーン本体４１の孔面に通過した流れと逆方向の第２のスクリーン４のスクリーン本体４１の孔面から第１のスクリーン３のスクリーン本体３１の孔面に流れる。そのため、第１のスクリーン３のスクリーン本体３１の孔面に捕集された異物は、第２のスクリーン４のスクリーン本体４１の孔面から第１のスクリーン３のスクリーン本体３１の孔面に流れる流体の逆方向の流れによって第１のスクリーン３のスクリーン本体３１の孔面から取り除かれて、濾過室５１の排出口５１４を介して、排出室５３の第１の排出口５３２から流体とともに排出される。
【００５０】
このときは、第１のスクリーン３のスクリーン本体３１の孔面の孔と第２のスクリーン４のスクリーン本体４１の孔面の孔との重なり合い具合が大きくなるように、動作部６が第１のスクリーン３を動作させる。つまり、動作部６は、第１のスクリーン３のスクリーン本体３１の孔面と第２のスクリーン４のスクリーン本体４１の孔面とを重なり合わせて形成される流路Ｆの大きさを大きくする。よって、第１のスクリーン３及び第２のスクリーン４を通過できる異物の大きさが大きくなり、第１のスクリーン３及び第２のスクリーン４に捕集された異物が該第１のスクリーン３及び第２のスクリーン４から流体により取り除かれやすくなる。
【００５１】
また、洗浄時、第１のスクリーン３が回動して、濾過室５１の排出口５１４に連絡する第１のスクリーン３の捕集分割エリアＳ１１〜Ｓ１６を切り換えることにより、第１のスクリーン３のスクリーン本体３１の孔面と第２のスクリーン４のスクリーン本体４１の孔面とを流れる流体の向きが変わり、第１のスクリーン３が複数に区画された捕集分割エリアＳ１１〜Ｓ１６の孔面ごとに切り換えて、すべての捕集分割エリアＳ１１〜Ｓ１６の孔面から異物を取り除くことができる。そのため、ストレーナ１の清掃などの保守が簡略化される。
【００５２】
なお、本発明は、上記実施形態に限定されず、本発明の要旨を逸脱しない範囲で様々な変更が可能である。
【００５３】
例えば、上記実施形態に係るストレーナ１は、第２のスクリーン４に対して第１のスクリーン３を回動させる例を説明した。しかし、本発明のストレーナは、第１のスクリーン３に対して第２のスクリーン４を回動させるようにしてもよいし、第１のスクリーン３及び第２のスクリーン４の両方を回動させるようにしてもよい。つまり、第１のスクリーン３及び第２のスクリーン４との位置関係によってスクリーン２に形成される流路Ｆの大きさは、第１のスクリーン３のスクリーン本体３１の孔面の孔と第２のスクリーン４のスクリーン本体４１の孔面の孔との相対的な位置関係により決まり、その位置関係に至るまでの過程に限定されない。
【００５４】
上記実施形態に係るストレーナ１は、第１のスクリーン３又は第２のスクリーン４が筒芯中心に一方向に回動する例を説明した。しかし、第１のスクリーン３又は第２のスクリーン４は、筒芯方向に往復動させてもよいし、筒芯中心に往復動させてもよい。つまり、第１のスクリーン３及び第２のスクリーン４との位置関係によってスクリーン２に形成される流路Ｆの大きさは、第１のスクリーン３のスクリーン本体３１の孔面の孔と第２のスクリーン４のスクリーン本体４１の孔面の孔との相対的な位置関係により決まり、その位置関係に至るまでの過程に限定されない。
【００５６】
上記実施形態に係るストレーナ１は、第１のスクリーン３のスクリーン本体３１の孔面及び第２のスクリーン４のスクリーン本体４１の孔面が金網である例を説明した。しかし、これらの孔面は、パンチングメタルであってもよい。
【００５７】
上記実施形態に係るストレーナ１は、第１のスクリーン３及び第２のスクリーン４の補強板３５，４２をスクリーン本体３１，４１の両面に設ける例を説明した。しかし、第１のスクリーン３は、補強板３５をスクリーン本体３１の外側（外周側）に設けずに、内側（内周側）に設け、第２のスクリーン４は、補強板４２をスクリーン本体４１の内側（内周側）に設けずに、外側（外周側）に設けるようにしてもよい。このようにすれば、第１のスクリーン３の孔面と第２のスクリーン４の孔面がより接触しやすくなり、第１のスクリーン３の孔面と第２のスクリーン４の孔面との間の隙間がなくなることから、第２のスクリーン４の孔面（の孔以外の部分）で第１のスクリーン３の孔面の孔の一部を確実に塞いで流路Ｆの大きさを調整することができるようになる。
【００５８】
上記実施形態に係るストレーナ１は、筺体５に流入室５２と排出室５３とが設けられる例を説明した。しかし、筺体５は、流入室５２及び排出室５３のいずれか一方若しくはそ両方を備えていなくてもよい。つまり、筺体５は、濾過室５１に対して流入口５１２及び排出口５１４が直接設けられていてもよい。
【００５９】
上記実施形態に係るストレーナ１は、第１のスクリーン３のスクリーン本体３１の孔面の孔と第２のスクリーン４のスクリーン本体４１の孔面の孔との重なり合い具合を調整することにより、つまり、第１のスクリーン３のスクリーン本体３１と第２のスクリーン４のスクリーン本体４１との位置関係を調整することにより、例えば、１０メッシュから５０メッシュに、ストレーナ１の流路Ｆの開口サイズを２又は２以上に切り換えるようにしてもよく、ストレーナに流す流体に含まれる異物の大きさによって開口サイズを変更するように動作部６が制御されるものであってもよい。
【符号の説明】
【００６０】
１…ストレーナ、２…スクリーン、３…第１のスクリーン、３１…スクリーン本体、３２…蓋板、３３…軸部、３４…区画、３５…補強板、４…第２のスクリーン、４１…スクリーン本体、４２…補強板、５…筺体、５１…濾過室、５１１…スペース、５１２…流入口、５１３…流出口、５１４…排出口、５２…流入室、５２１…スペース、５２２…第１の流入口、５２３…第２の流入口、５３…排出室、５３１…スペース、５３２…第１の排出口、５３３…第２の排出口、６…動作部、６１…駆動部、６２…制御部、７１…開閉弁、７２…異物排出弁、Ｓ１…捕集エリア、Ｓ１１〜Ｓ１６…捕集分割エリア、Ｓ２…導水エリア、Ｆ…流路
【図１】
0005596115.tif 000002
【図２】
0005596115.tif 000003
【図３】
0005596115.tif 000004
【図４】
0005596115.tif 000005
【図５】
0005596115.tif 000006
【図６】
0005596115.tif 000007
【図７】
0005596115.tif 000008
【図８】
0005596115.tif 000009
【図９】
0005596115.tif 000010